(57)【特許請求の範囲】
【請求項１】
ターミナル関連のネットワーク性能パラメータの測定に関するレポートをターミナルから受信する段階（Ｓ１１０）と、
アクセスネットワーク関連のネットワーク性能パラメータの情報を取得する段階（Ｓ１２０）と、
前記受信したターミナル関連のネットワーク性能パラメータと、前記取得したアクセスネットワーク関連のネットワーク性能パラメータとを、合成ネットワーク性能レポートへと合成する段階（Ｓ１３０）と、
前記合成ネットワーク性能レポートを、ネットワーク性能分析及び／又はコントロールのために、ネットワーク管理要素及び／又は動作・保守要素へ転送する段階（Ｓ１４０）と、を備え、
前記取得する段階は、
前記受信される測定レポートにおける前記ターミナル関連のネットワーク性能パラメータの前記測定に関するトリガー事象及び／又はユースケースを、トリガー事象及び／又はユースケースと、前記ターミナルで行うべき測定との間の規定の関連性に基づいて決定すること（Ｓ１２１）、及び
取得すべきアクセスネットワーク関連のネットワーク性能パラメータを、前記決定された、前記ターミナル関連のネットワーク性能パラメータの前記測定に関するトリガー事象及び／又はユースケースに基づいて選択すること（Ｓ１２２）、
を含む方法。
【請求項２】
前記方法は、アクセスネットワーク要素に相互接続される装置管理要素において実行でき、
前記測定レポートは、前記ターミナルからユーザプレーンデータとして受信され、
前記アクセスネットワーク関連のネットワーク性能パラメータは、前記アクセスネットワーク要素から外部取得される、
請求項１に記載の方法。
【請求項３】
前記方法は、アクセスネットワーク要素において実行でき、
前記測定レポートは、前記ターミナルからコントロールプレーンデータとして受け取られ、
前記アクセスネットワーク関連のネットワーク性能パラメータは、前記アクセスネットワーク要素において内部取得される、
請求項１に記載の方法。
【請求項４】
前記装置管理要素は、オープン移動同盟装置管理サーバーを含み、及び／又は
前記アクセスネットワーク要素は、ベースステーション、ベーストランシーバステーション、ＮｏｄｅＢ、及びｅＮｏｄｅＢの１つを含む、請求項２又は３に記載の方法。
【請求項５】
前記ターミナル関連及び／又はアクセスネットワーク関連のネットワーク性能パラメータは、ネットワーク性能監視のためのドライブテストの最小化及びネットワークの自己最適化の一方に特有のパラメータを含む、請求項１から４のいずれかに記載の方法。
【請求項６】
前記ターミナル関連及び／又はアクセスネットワーク関連のネットワーク性能パラメータは、カバレージ最適化、移動最適化、容量最適化、共通チャンネルのパラメータ化、サービスクオリティの検証に対するユースケースの少なくとも１つに関連付けられる、請求項１から５のいずれかに記載の方法。
【請求項７】
前記ターミナル関連のネットワーク性能パラメータの測定は、周期的無線環境又はダウンリンクパイロット測定、サービングセルがスレッシュホールドより悪化したときの無線環境測定、ターミナルの送信電力がスレッシュホールド未満であるときの送信電力空き高及び無線環境測定、ランダムアクセスの失敗が生じたときのランダムアクセス詳細及び無線環境測定、ページングチャンネル失敗が生じたときの無線環境、位置、時間及びセルアイデンティティ測定、そして放送チャンネル失敗が生じたときの無線環境、位置、時間、セルアイデンティティ及び周波数測定、のうちの１つ以上を含み、及び／又は
前記アクセスネットワーク関連のネットワーク性能パラメータに関する情報は、アクセス制約パラメータ、ネットワーク負荷パラメータ、トラフィック分布パラメータ、混雑パラメータ、無線及び／又はハードウェアリソースパラメータ、ハンドオーバーパラメータ、移動パラメータ、動的接続パラメータ、シグナリングエラーパラメータ、及びアクセスネットワーク要素間のＸ２インターフェイス上のシグナリング事象、のうちの１つ以上に関連している、請求項１から６のいずれかに記載の方法。
【請求項８】
ターミナル関連のネットワーク性能パラメータの測定に関するレポートをターミナルから受信するように構成された（Ｓ１１０）受信器と、
アクセスネットワーク関連のネットワーク性能パラメータの情報を取得するように構成された（Ｓ１２０）取得ユニットと、
前記受信したターミナル関連のネットワーク性能パラメータと、前記取得したアクセスネットワーク関連のネットワーク性能パラメータとを、合成ネットワーク性能レポートへと合成するように構成された（Ｓ１３０）合成ユニットと、
前記合成ネットワーク性能レポートを、ネットワーク性能分析及び／又はコントロールのために、ネットワーク管理要素及び／又は動作・保守要素へ転送するように構成された（Ｓ１４０）送信器と、を備え、
前記取得ユニットは、
前記受信される測定レポートにおける前記ターミナル関連のネットワーク性能パラメータの前記測定に関するトリガー事象及び／又はユースケースを、トリガー事象及び／又はユースケースと、前記ターミナルで行うべき測定との間の規定の関連性に基づいて決定するように構成された（Ｓ１２１）決定ユニット、及び
前記取得すべきアクセスネットワーク関連のネットワーク性能パラメータを、前記決定された、前記ターミナル関連のネットワーク性能パラメータの前記測定に関するトリガー事象及び／又はユースケースに基づいて選択するように構成された（Ｓ１２２）選択ユニット、
を含む装置。
【請求項９】
前記装置は、アクセスネットワーク要素に相互接続される装置管理要素として又は装置管理要素において動作でき、
前記受信器は、前記測定レポートを、前記ターミナルからユーザプレーンデータとして受信するように構成され、そして
前記取得ユニットは、前記アクセスネットワーク関連のネットワーク性能パラメータを、前記アクセスネットワーク要素から外部取得するように構成される請求項８に記載の装置。
【請求項１０】
前記装置は、アクセスネットワーク要素として又はアクセスネットワーク要素において動作でき、
前記受信器は、前記測定レポートを、前記ターミナルからコントロールプレーンデータとして受信するように構成され、そして
前記取得ユニットは、前記アクセスネットワーク関連のネットワーク性能パラメータを、前記アクセスネットワーク要素において内部取得するように構成される請求項８に記載の装置。
【請求項１１】
前記装置管理要素は、オープン移動同盟装置管理サーバーを含み、及び／又は
前記アクセスネットワーク要素は、ベースステーション、ベーストランシーバステーション、ＮｏｄｅＢ、及びｅＮｏｄｅＢの１つを含む、請求項９又は１０に記載の装置。
【請求項１２】
前記ターミナル関連及び／又はアクセスネットワーク関連のネットワーク性能パラメータは、ネットワーク性能監視のためのドライブテストの最小化及びネットワークの自己最適化の一方に特有のパラメータを含む、請求項８から１１のいずれかに記載の装置。
【請求項１３】
前記ターミナル関連及び／又はアクセスネットワーク関連のネットワーク性能パラメータは、カバレージ最適化、移動最適化、容量最適化、共通チャンネルのパラメータ化、サービスクオリティの検証に対するユースケースの少なくとも１つに関連付けられる、請求項８から１２のいずれかに記載の装置。
【請求項１４】
前記ターミナル関連のネットワーク性能パラメータの測定は、周期的無線環境又はダウンリンクパイロット測定、サービングセルがスレッシュホールドより悪化したときの無線環境測定、ターミナルの送信電力がスレッシュホールド未満になったときの送信電力空き高及び無線環境測定、ランダムアクセスの失敗が生じたときのランダムアクセス詳細及び無線環境測定、ページングチャンネル失敗が生じたときの無線環境、位置、時間及びセルアイデンティティ測定、そして放送チャンネル失敗が生じたときの無線環境、位置、時間、セルアイデンティティ及び周波数測定、のうちの１つ以上を含み、及び／又は
前記アクセスネットワーク関連のネットワーク性能パラメータに関する情報は、アクセス制約パラメータ、ネットワーク負荷パラメータ、トラフィック分布パラメータ、混雑パラメータ、無線及び／又はハードウェアリソースパラメータ、ハンドオーバーパラメータ、移動パラメータ、ダイナミック接続パラメータ、シグナリングエラーパラメータ、及びアクセスネットワーク要素間のＸ２インターフェイス上のシグナリング事象、のうちの１つ以上に関連している、請求項８から１３のいずれかに記載の装置。
【請求項１５】
装置のプロセッサ上で実行されたときに、請求項１から７のいずれかに記載の方法を遂行するように構成されたプログラムコード手段を備えたコンピュータプログラム。
【発明の詳細な説明】
【技術分野】
【０００１】
本発明は、一般的に、改善型（強化型）ネットワーク性能監視のための技術に係る。換言すれば、本発明は、例えば、ネットワークカバレージ及び／又は容量最適化の目的に使用できるネットワーク性能データのような性能データの収集及び／又は報告の改善に係る。
【背景技術】
【０００２】
ネットワーク性能監視、即ちネットワーク性能データの収集及び／又は報告は、どんな種類の通信ネットワークのネットワークオペレータにとっても重要なタスクである。特に地理的に問題のあるエリア、又は新規なネットワークファシリティの配備が意図された地理的エリアでは、オペレータがそのネットワークファシリティを適切に計画し、配備し、そしてコントロールするか、又はネットワークの自己最適化を可能にするために、ネットワーク性能の明確且つ完全な描写が重要である。
【０００３】
ネットワーク性能のそのような明確且つ完全な描写を得る努力において、例えば、車や列車で巡行し、そして例えば、ユーザ装置ＵＥのようなターミナル装置によりネットワーク性能パラメータの測定を行うことでネットワーク性能データを収集するドライブテストが通常使用される。従って、ターミナル関連のネットワーク性能パラメータを手動で又は自動的に測定することができる。
【０００４】
これまでは、手動の広範囲なドライブテストが普通であり且つ必要であったが、現在では、ネットワークの運転及び保守コストを低減し、迅速な最適化サイクルを保証し、且つ炭素放出の減少により環境を保護するために、ドライブテストの自動化及び最小化が要望されている。
【０００５】
以下、ドライブテストを自動化及び最小化する現在の努力について述べるが、これは、ネットワーク性能監視の影響に関する非限定例である。
【０００６】
ドライブテストの最小化は、現在、３ＧＰＰ（第三世代パートナーシッププログラム）で対処されており、その研究の範囲は、手動ドライブテストの必要性を最小にするためにＵＥ測定値の収集を自動化する実現性、利益及び複雑さである。この点に関して、ドライブテストを最小にするためにＵＥ測定値を記録し報告する新規な能力を定義する必要性が調査されている。
【０００７】
次世代ネットワークにおいてドライブテストを最小にする最近の研究は、この分野で定義されたユースケース（use case）、及びそれらユースケースに対処する幾つかのＵＥ測定を網羅するものである。ここに示すユースケースは、ネットワークパラメータを監視するための自動方法を可能にすることに向けられる。
【０００８】
手動で遂行されるドライブテストに取った代わるために、新規なＵＥ測定ログ（即ち、特定エンティティの測定のセット）が提案されている。周期的なものであるか、又は失敗事象のような特定事象である規定のトリガーの発生時に、対応するＵＥ測定を行わねばならない。加えて、もし得られれば、位置情報を測定値に添付して、ネットワーククオリティが異なる地理的なエリアを区別することができる。ＵＥは、それが形成したログに基づいて情報を報告する。
【０００９】
しかしながら、現在提案されているように、測定報告を送信するのがＵＥだけのときには、周期的に配信されるか又はターミナルが問題に遭遇したときに配信されるレポートの分析が充分に正確ではない。これは、基礎的なネットワークの状態、又はネットワーク性能のネットワーク関連特性に関する情報が充分でなく、即ち（無線）アクセスネットワークのようなネットワークの観点からの現在及び従来のネットワーク性能データが充分でないためである。基礎的なネットワーク状況に関するそのような情報は、全体的なネットワーク性能を適切に分析するのに有用であるから、ターミナルからの（不完全な）測定レポートに基づく発見は、ネットワーク性能の知識が失われて低く重み付けされるので、評価が低い。
【発明の概要】
【発明が解決しようとする課題】
【００１０】
従って、以上のことから、自動化及び／又は最小化されたネットワーク性能監視でもネットワーク性能の明確且つ完全な描写の発見を可能にするための技術が要望されている。
【課題を解決するための手段】
【００１１】
本発明の実施形態は、改善されたネットワーク性能監視のための実現可能な解決策を提供するためのものである。特に、本発明の実施形態は、上述した問題及び欠点を克服し、又は少なくとも軽減するためのものであるが、それに限定されない。
【００１２】
本発明の第１の規範的な態様によれば、ターミナル関連のネットワーク性能パラメータの測定に関するレポートをターミナルから受信し、アクセスネットワーク関連のネットワーク性能パラメータの情報を取得し、そして受信したターミナル関連のネットワーク性能パラメータと、取得したアクセスネットワーク関連のネットワーク性能パラメータとを、合成ネットワーク性能レポートへと合成することを含む方法が提供される。
【００１３】
更に別の開発及び／又はその変更によれば、以下の１つ以上が適用される。
−前記取得は、更に、受信される測定レポートのトリガー事象及び／又はユースケースを、トリガー事象及び／又はユースケースと、ターミナルで行うべき測定との間の規定の関連性に基づいて決定し、そして取得すべきアクセスネットワーク関連のネットワーク性能パラメータを、その決定されたトリガー事象及び／又はユースケースに基づいて選択することを含み、
−前記方法は、更に、前記合成ネットワーク性能レポートを、ネットワーク性能分析及び／又はコントロールのために、ネットワーク管理要素及び／又は動作・保守要素へ転送することを含み、
−前記方法は、アクセスネットワーク要素に相互接続される装置管理要素において実行でき、
−前記測定レポートは、ターミナルからユーザプレーンデータとして受信され、
−前記アクセスネットワーク関連のネットワーク性能パラメータは、アクセスネットワーク要素から外部取得され、
−前記方法は、アクセスネットワーク要素において実行でき、
−前記測定レポートは、ターミナルからコントロールプレーンデータとして受信され、
−前記アクセスネットワーク関連のネットワーク性能パラメータは、アクセスネットワーク要素において内部取得され、
−前記装置管理要素は、オープン移動同盟装置管理サーバーを含み、及び／又は
−前記アクセスネットワーク要素は、ベースステーション、ベーストランシーバステーション、ＮｏｄｅＢ、及びｅＮｏｄｅＢの１つを含む。
【００１４】
本発明の第２の規範的な態様によれば、ターミナル関連のネットワーク性能パラメータの測定に関するレポートをターミナルから受信するように構成された受信器と、アクセスネットワーク関連のネットワーク性能パラメータの情報を取得するように構成された取得ユニットと、受信したターミナル関連のネットワーク性能パラメータと、取得したアクセスネットワーク関連のネットワーク性能パラメータとを、合成ネットワーク性能レポートへと合成するように構成された合成ユニットと、を備えた装置が提供される。
【００１５】
更に別の開発及び／又はその変更によれば、以下の１つ以上が適用される。
−前記装置は、更に、受信される測定レポートのトリガー事象及び／又はユースケースを、トリガー事象及び／又はユースケースと、ターミナルで行うべき測定との間の規定の関連性に基づいて決定するように構成された決定ユニット、及び取得すべきアクセスネットワーク関連のネットワーク性能パラメータを、その決定されたトリガー事象及び／又はユースケースに基づいて選択するように構成された選択ユニットを備え、
−前記装置は、更に、前記合成ネットワーク性能レポートを、ネットワーク性能分析及び／又はコントロールのために、ネットワーク管理要素及び／又は動作・保守要素へ転送するように構成された送信器を備え、
−前記装置は、アクセスネットワーク要素に相互接続される装置管理要素として又は装置管理要素において動作でき、
−前記受信器は、測定レポートを、ターミナルからユーザプレーンデータとして受信するように構成され、
−前記取得ユニットは、アクセスネットワーク関連のネットワーク性能パラメータを、アクセスネットワーク要素から外部取得するように構成され、
−前記装置は、アクセスネットワーク要素として又はアクセスネットワーク要素において動作でき、
−前記受信器は、測定レポートを、ターミナルからコントロールプレーンデータとして受信するように構成され、
−前記取得ユニットは、アクセスネットワーク関連のネットワーク性能パラメータを、アクセスネットワーク要素において内部取得するように構成され、
−前記装置管理要素は、オープン移動同盟装置管理サーバーを含み、及び／又は
−前記アクセスネットワーク要素は、ベースステーション、ベーストランシーバステーション、ＮｏｄｅＢ、及びｅＮｏｄｅＢの１つを含む。
【００１６】
本発明の第３の規範的な態様によれば、装置のプロセッサで実行されたとき、前記第１の態様、又は更に別の開発及び／又はその変更のいずれか１つに基づく方法を遂行するように構成されたプログラムコード手段を含むコンピュータプログラム製品が提供される。前記コンピュータプログラム製品が実行される装置は、前記第２の態様、又は更に別の開発及び／又はその変更のいずれか１つに基づく装置である。
【００１７】
前記態様のいずれか１つ、或いは更に別の開発及び／又はその変更のいずれか１つによれば、以下の１つ以上が適用される。
−ターミナル関連及び／又はアクセスネットワーク関連のネットワーク性能パラメータは、ネットワーク性能監視のためのドライブテストの最小化、及びネットワークの自己最適化、の１つに特有のパラメータを含み、
−ターミナル関連及び／又はアクセスネットワーク関連のネットワーク性能パラメータは、カバレージ最適化、移動最適化、容量最適化、共通チャンネルのパラメータ化、サービスクオリティの検証に対するユースケースの少なくとも１つに関連付けられ、
−ターミナル関連のネットワーク性能パラメータの測定は、周期的無線環境又はダウンリンクパイロット測定、サービングセルがスレッシュホールドより悪化したときの無線環境測定、ターミナルの送信電力がスレッシュホールド未満であるときの送信電力空き高及び無線環境測定、ランダムアクセスの失敗が生じたときのランダムアクセス詳細及び無線環境測定、ページングチャンネル失敗が生じたときの無線環境、位置、時間及びセルアイデンティティ測定、そして放送チャンネル失敗が生じたときの無線環境、位置、時間、セルアイデンティティ及び周波数測定、のうちの１つ以上を含み、及び／又は
−アクセスネットワーク関連のネットワーク性能パラメータに関する情報は、アクセス制約パラメータ、ネットワーク負荷パラメータ、トラフィック分布パラメータ、混雑パラメータ、無線及び／又はハードウェアリソースパラメータ、ハンドオーバーパラメータ、移動パラメータ、動的接続パラメータ、シグナリングエラーパラメータ、及びアクセスネットワーク要素間のＸ２インターフェイス上のシグナリング事象、のうちの１つ以上に関連している。
【発明の効果】
【００１８】
本発明の規範的な実施形態によれば、改善型ネットワーク性能監視のための技術、例えば、ネットワーク性能データのような性能データの収集及び／又は報告を改善するための技術が提供される。
【００１９】
本発明の規範的実施形態によれば、ネットワーク性能監視及び／又は制御に、例えば、ｅＮｏｄｅＢのようなアクセスネットワーク要素を関与させるための技術が提供される。アクセスネットワーク要素の関与は、ターミナルによって可能にされる（ネットワーク）性能監視及び／又は制御を好都合に補足することができる。
【００２０】
本発明の規範的実施形態によれば、ネットワーク性能監視及び／又は制御は、ターミナル関連（ネットワーク性能）パラメータのようなターミナル状態、及びアクセスネットワーク関連のネットワーク性能パラメータのようなネットワーク状態の両方によって達成される。
【００２１】
本発明の規範的実施形態によれば、ネットワーク性能監視のためのドライブテストは、ネットワーク性能の明確及び完全な描写の発見を依然可能にしながら、最小化及び自動化され、及び／又はネットワークの自己最適化が容易にされる。
【００２２】
添付図面を参照した規範的実施形態の以下の説明から、更なる詳細が明らかとなろう。
以下、添付図面を参照し、本発明の規範的実施形態を非限定例として詳細に説明する。
【図面の簡単な説明】
【００２３】
【図１】本発明の規範的実施形態による方法のフローチャートである。
【図２】本発明の規範的実施形態による第１システムアーキテクチャーの概略を示す図である。
【図３】本発明の規範的実施形態による第１システムアーキテクチャーの構造及び手順の詳細を示す図である。
【図４】本発明の規範的実施形態による第２システムアーキテクチャーの概略を示す図である。
【図５】本発明の規範的実施形態による第２システムアーキテクチャーの構造及び手順の詳細を示す図である。
【図６】本発明の規範的実施形態による方法のフローチャートである。
【図７】本発明の規範的実施形態による装置のブロック図である。
【図８】本発明の規範的実施形態による装置のブロック図である。
【発明を実施するための形態】
【００２４】
特定の非限定例を参照して、本発明を説明する。当業者であれば、本発明がこれらの例に限定されず、より広く適用されることが明らかであろう。
【００２５】
特に、本発明及びその実施形態は、規範的なネットワーク構成及び配備に対して非限定例として使用される３ＧＰＰ仕様に関連して主として説明する。特に、３ＧＰＰベースのネットワークに基づくネットワーク性能監視のためのドライブテストの最小化は、ここに述べる実施形態を適用する非限定例として使用される。従って、ここに述べる規範的実施形態の説明は、それに直接関連した用語を参照する。そのような用語は、ここに示す非限定例に関してのみ使用されるもので、本発明を何ら限定するものではない。むしろ、他のネットワーク構成、又はシステム配備、等は、ここに述べる特徴に適合する限り、使用することができる。
【００２６】
特に、本発明の実施形態は、基本的なネットワーク環境に関わらず、例えば、自己最適化ネットワークのように自動化するのに好ましくは最小の努力でネットワーク性能を監視する必要のあるシステムに適用することができる。本発明の実施形態は、移動／ワイヤレス通信ネットワーク、例えば、移動通信用のグローバルシステム（ＧＳＭ）、汎用パケット無線サービス（ＧＰＲＳ）、ユニバーサル移動テレコミュニケーションシステム（ＵＭＴＳ）、ワイドバンドコード分割多重アクセス（ＷＣＤＭＡ）、長期進化（ＬＴＥ）、長期進化進歩型（ＬＴＥ−Ａ）、マイクロ波アクセスのためのワイヤレス相互運用性（ＷｉＭＡＸ）、進化高レートパケットデータ（ｅＨＲＰＤ）、進化パケットコア（ＥＰＣ）、或いは他の３ＧＰＰ（３ＧＰＰ：第３世代パードナーシッププロジェクト）又はＩＥＴＦ（インターネットエンジニアリングタスクフォース）ネットワークを含むいかなる種類の近代的及び将来の通信ネットワークにも適用することができる。
【００２７】
以下、本発明の種々の実施形態及び具現化、その態様又は実施形態を、多数の代替え物を使用して説明する。一般的に、ある必要性及び制約に基づき、ここに述べる全ての代替え物は、単独で与えられてもよいし、又は考えられる組み合わせ（種々の代替え物の個々の特徴の組み合わせも含む）で与えられてもよいことに注意されたい。
【００２８】
以下、本発明の規範的な実施形態を、方法、手順及び機能を参照して説明する。
【００２９】
図１は、本発明の規範的実施形態による方法のフローチャートである。この方法は、例えば、図３及び４のシステムアーキテクチャーで例示されたＯＭＡ（オープン移動同盟）仕様に準拠する規範的な装置管理サーバーのような装置管理要素において実行されるか、或いは図５及び６のシステムアーキテクチャーで例示されたベース（トランシーバ）ステーション、ＮｏｄｅＢ又はｅＮｏｄｅＢのようなアクセスネットワーク要素において実行される。
【００３０】
図１の規範的な方法によれば、動作Ｓ１１０において、実行装置（例えば、その受信器）は、ユーザ装置ＵＥのようなターミナルからのターミナル関連のネットワーク性能パラメータの測定に関するレポート、即ちＵＥ測定ログを受信する。そのようなターミナル関連のネットワーク性能パラメータは、周期的な１つ以上の規定のトリガーに従い又は失敗事象の発生に基づいて、測定され報告される。そのようなターミナル関連のネットワーク性能パラメータの特定セットは、トリガー事象及び／又はそのユースケースに基づき測定及び報告目的で規定される。例えば、当該ネットワーク性能パラメータの１つ以上の特定セット、即ち１つ以上の特定ＵＥ測定ログは、ドライブテストを最小化することに関して、カバレージ最適化、移動最適化、容量最適化、共通チャンネルに対するパラメータ化、サービスクオリティの検証に対するユースケースのいずれか１つに関連付けられる。例えば、そのようなＵＥ測定ログは、周期的な無線環境又はダウンリンクパイロット測定、サービングセルがスレッシュホールドより悪化したときの無線環境測定、ターミナルの送信電力がスレッシュホールド未満になったときの送信電力空き高及び無線環境測定、ランダムアクセスの失敗が生じたときのランダムアクセス詳細及び無線環境測定、ページングチャンネル失敗が生じたときの無線環境、位置、時間及びセルアイデンティティ測定、そして放送チャンネル失敗が生じたときの無線環境、位置、時間、セルアイデンティティ及び周波数測定、のうちの１つ以上を含む。この点に関して、無線リソース測定は、ＣＰＩＣＨ（共通パイロットチャンネル）、ＲＳＣＰ（受信信号コード電力）、ＲＳＲＰ（基準信号受信電力）、及び／又はＲＳＲＱ（基準信号受信クオリティ）に関連している。ページングチャンネル失敗は、ＰＤＣＣＨ（物理的ダウンリンクコントロールチャンネル）のデコーディングエラーに関連している。
【００３１】
上述した受信は、基礎となるシステムシナリオに基づいて、（図３及び４の場合と同様に）ユーザプレーントランスポートにより遂行されるか、又は（図５及び６の場合と同様に）コントロールプレーントランスポートにより遂行される。
【００３２】
動作Ｓ１２０では、実行装置（例えば、プロセッサ又はその専用取得ユニット）は、アクセスネットワーク関連のネットワーク性能パラメータの情報、例えば、（ｅ）ＮｏｄｅＢ又はベースステーションの情報を取得する。一方では、利用可能な全てのアクセスネットワーク関連のネットワーク性能パラメータが、動作Ｓ１１０において、ＵＥ測定ログの受信時に取得される（この場合、以下に述べる決定及び選択動作を省略できる）。他方では、そのようなアクセスネットワーク関連のネットワーク性能パラメータが、ネットワーク性能パラメータをターミナルにログし及び／又は報告するための１つ以上の規定のトリガー事象及び／又はユースケースに関連付けされる。従って、動作Ｓ１１０で受信されるターミナル関連のネットワーク性能パラメータの測定（そのセット）及び規定に関連性に基づき、受信された測定レポートのトリガー事象及び／又はユースケースが決定され（Ｓ１２１）、そして取得されるべきアクセスネットワーク関連のネットワーク性能パラメータ（の特定セット）が、全ての利用可能なパラメータの中から選択される（Ｓ１２２）。例えば、当該ネットワーク性能パラメータの１つ以上の特定セット、例えば、１つ以上の特定の（ｅ）ＮｏｄｅＢ又はベースステーション情報セットが、ドライブテストの最小化に関して、カバレージ最適化、移動最適化、容量最適化、共通チャンネルのパラメータ化、サービスクオリティの検証に対するユースケースのいずれか１つに関連付けられる。例えば、アクセスネットワーク関連のネットワーク性能パラメータに関する情報は、アクセス制約パラメータ、ネットワーク負荷パラメータ（例えば、自身のセル、或いは（ｅ）ＮｏｄｅＢ又はベースステーションの１つ以上の隣接セルに関する）、トラフィック分布パラメータ、混雑パラメータ、無線及び／又はハードウェアリソースパラメータ、ハンドオーバーパラメータ（例えば、開始された又は失敗したハンドオーバーの試みに関する情報、当該（ｅ）ＮｏｄｅＢ又はベースステーション或いは潜在的なハンドオーバー候補が例えば過負荷の問題を経験したか、或いは例えばソフトウェアの問題のためにリセットされたかの情報）、移動パラメータ（例えば、ターミナルの以前のセルのアイデンティティに関する移動履歴情報）、動的接続パラメータ（例えば、接続に影響する考えられる動的パラメータに関する情報、例えば、基準記号に対する電力、或いはある周波数（１つ又は複数）におけるキャリアの考えられるアクチベーション／デアクチベーション（例えば、ＬＴＥ−Ａキャリア集合に関して））、シグナリングエラーパラメータ（例えば、ＲＲＣ（無線リソースコントロール）接続のようなシグナリング接続のための考えられるエラーのケース）、アクセスネットワーク要素間のＸ２インターフェイス上のシグナリング事象、並びにターミナルのような装置からの他の情報（例えば、報告された電力空き高又は報告された最新のＣＱＩ／ＣＳＩ（ＣＡＩ：チャンネルクオリティ指示子、ＣＳＩ:チャンネル状態情報）メッセージ）、のうちの１つ以上に関連している。例えば、移動最適化のユースケースは、移動及びハンドオーバーパラメータに依存する。
【００３３】
上述した取得は、基礎的なシステムシナリオに基づいて、実行層において内部で遂行されてもよいし（図５及び６のケースのように）、又は実行装置に相互接続される外部装置から外部で遂行されてもよい（図３及び４のケースのように）。
【００３４】
動作Ｓ１３０において、実行装置（例えば、プロセッサ又はその専用取得ユニット）は、受信したターミナル関連のネットワーク性能パラメータ及び取得したアクセスネットワーク関連のネットワーク性能パラメータ（利用可能な全てのパラメータ、又は利用可能な全てのパラメータから決定されるパラメータのセット）を、合成ネットワーク性能レポートへと合成する。そのような合成は、基本的なシステムシナリオに基づいて、ＵＥ及び例えばｅＮｏｄｅＢ以外の実行装置で合成が行われるときには、受信したＵＥ測定レポートに例えばｅＮｏｄｅＢ情報を添付することによって遂行されるか（図３及び４のケースのように）、或いは当該アクセスネットワーク関連のパラメータがとにかく利用できる例えばｅＮｏｄｅＢで合成が行われるときには、受信したＵＥ測定を例えばｅＮｏｄｅＢ情報で補足することによって遂行される（図５及び６のケースのように）。
【００３５】
動作Ｓ１４０において、実行装置（例えば、送信器）は、そのように生成された合成ネットワーク性能レポートを、ネットワーク性能分析及び／又はコントロールのために転送する。又、この転送は、そのように収集されそして合成されたパラメータに基づくネットワーク性能分析及び／又はコントロールが実行装置で行われる場合には、省略されてもよい。この転送は、基礎的なシステムシナリオに基づき、ＮＭ／ＩＲＰマネージャー（ＮＭ:ネットワーク管理、ＩＲＰ：一体化基準点）のようなネットワーク管理要素に向かって行われるか（図３及び４のケースのように）、或いはＯ＆Ｍ（動作及び保守）要素に向かって行われる（図５及び６のケースのように）。
【００３６】
上述した手順は、ドライブテスト最小化（ＭＤＴ）及び／又はネットワーク自己最適化（ＳＯＮ）にも等しく適用できる。従って、ターミナル関連及び／又はアクセスネットワーク関連のネットワーク性能パラメータは、ＭＤＴ及び／又はＳＯＮ特有のパラメータを含む。
【００３７】
以下、本発明の規範的実施形態を具現化するシステムアーキテクチャーの２つの例について説明する。
【００３８】
第１の規範的システムシナリオとして、ユーザプレーン（ＵＰ）ベースのアーキテクチャーについて述べる。
【００３９】
図２は、本発明の規範的な実施形態による第１のシステムアーキテクチャー、即ちＵＰベースのシステムアーキテクチャーの概略図である。
【００４０】
図２の規範的アーキテクチャーによれば、ターミナルを表わすユーザ装置ＵＥは、上述したターミナル関連のネットワーク性能パラメータの測定値をログし、そして装置管理要素を表わすＤＭＳにそれを報告し、そのような報告は、ユーザプレーンにおいて行われ、無線アクセスネットワークに対して透過的であり、即ちアクセスネットワーク要素を表わすｅＮｏｄｅＢに対して透過的である。ｅＮｏｄｅＢは、例えば、ＤＭＳから要求があった際に、上述したようにアクセスネットワーク関連のネットワーク性能パラメータの情報を収集し、そしてＤＭＳにそれを報告する。ｅＮｏｄｅＢは、例えば、別のｅＮｏｄｅＢに向かうインターフェイスにおけるＸ２シグナリング事象に気付いているから、そのようなＸ２シグナリング事象は、そのように報告されるｅＮｏｄｅＢ情報に含まれる。ＤＭＳにおいて、ＵＥ及びｅＮｏｄｅＢからのレポートは、例えば、ｅＮｏｄｅＢ情報をＵＥ測定レポートに添付することにより合成される。このように生成された合成レポートは、ネットワーク管理を表わすＮＭ／ＩＲＰマネージャー、及び／又は動作・保守要素へ転送される。
【００４１】
図３は、本発明の規範的な実施形態による、図２に示された第１のシステムアーキテクチャーの構造及び手順を詳細に示す。
【００４２】
図３の規範的構造によれば、ユーザ装置ＵＥは、図１の前記手順が実行されるＤＭＳと協働する装置管理（ＤＭ）クライアントを含むか又はそのようなクライアントとして動作する。ＤＭＳは、ＤＭサーバーユニットと、ネットワーク管理要素等においてＩＲＰマネージャー又はＩＲＰマネージャーユニットと協働するＩＲＰエージェントユニットとを備えている。ユーザプレーンにおいて無線アクセスネットワークに透過的な仕方で実行されるＵＥとＤＭＳとの間のトランスポートは、ＯＭＡ  ＤＭプロトコルにより遂行される。
【００４３】
図３の規範的手順によれば、上述したようにターミナル関連のネットワーク性能パラメータを測定して報告するためのＵＥ、特にその構成は、ＤＭＳにより構成される。例えば、どのパラメータ（のセット）をどのユースケース等に対して測定すべきかの測定ログの構成、及び例えば、どのトリガー及びどの種類のトリガー（例えば、周期的又は失敗ベース）が、どの測定及び／又はユースケースに対して有効であるかの報告トリガーの構成は、実際のネットワーク性能動作の前にＤＭＳからＵＥへ送信される。測定ログの構成は、例えば、どんなエンティティ／パラメータを測定すべきか、いつ失敗事象が見つかったか、例えば、いつセルがスレッシュホールドより悪化したかに関するインストラクションを含む。報告トリガーの構成は、例えば、レポートを測定時に直ちに送信すべきか、ネットワークの需要に応じて送信すべきか、又は周期的に、例えば、２４時間ごとに午前３時に送信すべきかに関するインストラクションを含む。
【００４４】
このように構成された測定トリガーに出会うと、ＵＥは、それに対応する測定ログを取り出す。このように構成された測定トリガーに出会うと、ＵＥは、そのように取り出された測定ログ（レポート）をＤＭＳに報告する。それを受信すると、ＤＭＳは、それに対応するアクセスネットワーク関連のネットワーク性能パラメータを取得し、これは、ここに示す例では、当該アクセスネットワークのアクセスネットワーク要素を表わすｅＮｏｄｅＢからそのような当該情報を要求することにより行われ、そのような情報は、要求があった際に入手できるか又は発生される。又、ＤＭＳは、ＵＥから受け取られた測定に関する報告トリガー及び／又はユースケースに基づいてアクセスネットワーク関連のパラメータの特定（サブ）セットを決定しそして選択する。このように取得され、即ち受け取られたパラメータは、次いで、ＵＥから受け取られたものと合成されて、合成ネットワーク性能レポートとなる。（ターミナル状態に関する）ＵＥデータ及び（（アクセス）ネットワーク状態に関する）ｅＮｏｄｅＢ情報を含むこの合成レポートは、例えば、ネットワーク性能監視及び／又はコントロールのためにそれらネットワークパラメータを要求したＮＭ／ＩＲＰマネージャーへ一体化基準点（ＩＲＰ）を経て転送される。
【００４５】
ＤＭＳとｅＮｏｄｅＢとの間で情報を交換するために、例えば、ＯＭＡ  ＤＭインターフェイスのような、それに対応するインターフェイス又は基準点が存在すると仮定する。更に、ｅＮｏｄｅＢ補足情報を要求しそしてトランスポートする仕方は、何らかの考えられる仕方であると仮定する。
【００４６】
上述したように、測定、測定レポート、及び合成レポートは、各々、ＭＤＴ及び／又はＳＯＮに特有のものである。
【００４７】
第２の規範的システムシナリオとして、コントロールプレーン（ＣＰ）ベースのアーキテクチャーについて説明する。
【００４８】
図４は、本発明の規範的な実施形態による第２のシステムアーキテクチャー、即ちＣＰベースのシステムアーキテクチャーの概略図である。
【００４９】
図４の規範的アーキテクチャーによれば、ターミナルを表わすユーザ装置ＵＥは、上述したようにターミナル関連のネットワーク性能パラメータの測定値をログし、そしてアクセスネットワーク要素を表わすｅＮｏｄｅＢへそれを報告し、そのような報告は、コントロールプレーンで行われる。ｅＮｏｄｅＢは、次いで、上述したようにアクセスネットワーク関連のネットワーク性能パラメータの情報を収集する。ｅＮｏｄｅＢは、例えば、別のｅＮｏｄｅＢに向かうインターフェイスにおけるＸ２シグナリング事象に気付いているから、そのようなＸ２シグナリング事象は、そのように収集されるｅＮｏｄｅＢ情報に含まれる。次いで、ｅＮｏｄｅＢは、ＵＥから受け取ったパラメータと、ｅＮｏｄｅＢにローカル収集されたパラメータを合成し、これは、例えば、ｅＮｏｄｅＢ情報をＵＥ測定レポートに添付することにより行われる。このように生成された合成レポートは、ネットワーク管理及び／又は動作を表わすＯ＆Ｍ装置、及び保守要素へ転送される。
【００５０】
図５は、本発明の規範的な実施形態による、図４に示された第２のシステムアーキテクチャーの構造及び手順を詳細に示す。
【００５１】
図５の規範的な構造によれば、ユーザ装置ＵＥは、ｅＮｏｄｅＢに接続され、これは、Ｏ＆Ｍ装置に接続されると共に、Ｘ２インターフェイスを経て１つ以上の他のｅＮｏｄｅＢにも各々接続される。図１について上述した手順は、ＵＥと協働するｅＮｏｄｅＢにおいて実行される。ＵＥと関連ｅＮｏｄｅとの間のトランスポートは、コントロールプレーンにおいて行われる。
【００５２】
図５の規範的な手順によれば、上述したようにターミナル関連のネットワーク性能パラメータを測定して報告するためのＵＥ、特にその構成は、ｅＮｏｄｅＢにより構成される。従って、この点に関して、図３を参照して上述した同じ観念が適用される。
【００５３】
このように構成された測定トリガーに出会うと、ＵＥは、それに対応する測定ログを取り出す。このように構成された測定トリガーに出会うと、ＵＥは、そのように取り出された測定ログ（レポート）をｅＮｏｄｅＢに報告する。それを受信すると、ｅＮｏｄｅＢは、それに対応するアクセスネットワーク関連のネットワーク性能パラメータを取得し、これは、ここに示す例では、例えば、要求された情報を記憶装置から問合せし、及び／又はそれに対応する測定を遂行することにより、ｅＮｏｄｅＢにおいて内部で行われる。又、ｅＮｏｄｅＢは、ＵＥから受け取られた測定に関する報告トリガー及び／又はユースケースに基づいてアクセスネットワーク関連のパラメータの特定（サブ）セットを決定しそして選択する。このように取得され、即ち受け取られたパラメータは、次いで、ＵＥから受け取られたものと合成されて、合成ネットワーク性能レポートとなる。（ターミナル状態に関する）ＵＥデータ及び（（アクセス）ネットワーク状態に関する）ｅＮｏｄｅＢ情報を含むこの合成レポートは、多数のＩＲＰ（一体化基準点）及びそれに関連した名前変換により構築されるインターフェイスＮ（Ｉｔｆ−Ｎ）を経てＯ＆Ｍ装置へ転送される。Ｏ＆Ｍ装置は、例えば、ネットワーク性能監視及び／又はコントロールのためにこれらネットワークパラメータを事前に有してもよい。
【００５４】
上述したように、測定、測定レポート、及び合成レポートは、各々、ＭＤＴ及び／又はＳＯＮに特有のものである。
【００５５】
従来は、ネットワーク性能監視及び／又はコントロール中にターミナルとネットワークとの間の接続が持続すると常に仮定された。しかしながら、上述した動作が完了する前にターミナルとネットワークとの間の接続が切断される状態も生じ得る。従って、ＤＭＳ又はｅＮｏｄｅＢへターミナル関連のネットワーク性能パラメータを報告することが不能にされるか又は遅延され、従って、ネットワーク性能監視及び／又はコントロールの更に別の動作に影響を及ぼす。
【００５６】
例えば、無線アクセスカバレージをもたないトンネルに入り込むような突然の作用のためにターミナル接続が失われることがある。そのような場合に、ターミナルは、その測定レポートを送信することができず、及び／又はネットワーク側では、接続が失われる前の状況を取り扱うための特定の問題レポートを開始することができない。
【００５７】
図４及び５に基づくＣＰベースのアーキテクチャーの規範的な状況において、例えば、ＵＥが、ｅＮｏｄｅＢから切断された後に、別のｅＮｏｄｅＢのエリアのネットワークカバレージに再入する場合がある。そのような場合の多くは、おそらく、ＵＥがトンネルを通過する場合である。従って、以前のｅＮｏｄｅＢは、ＵＥ測定の受信を無駄に待機することになり、これは、上述したように更に別の動作を不能にする。
【００５８】
従って、ネットワーク性能の監視及び／又はコントロールの目的で必要とされる場合にＵＥ測定値が受信されないケースを取り扱う動作が必要となる。
【００５９】
図６は、本発明の規範的な実施形態による方法のフローチャートである。
【００６０】
動作Ｓ６１０において、アクセス関連のネットワーク性能パラメータを報告する必要性が、例えば、そのようなパラメータの以前の報告以来の、又はＵＥ測定レポートの受信、ＵＥに向かう接続ロスの検出、等、以来の、タイマーの時間経過により検出される。次いで、動作Ｓ６２０において、アクセス関連のネットワーク性能パラメータが、上述したように、取得される（内部又は外部で）。次いで、現在のターミナル関連のネットワーク性能パラメータが利用できる（即ち、Ｓ６３０がイエス）場合には、動作Ｓ６４０のどこかで合成レポートが生成（及び転送）される。現在のターミナル関連のネットワーク性能パラメータが利用できない（即ち、Ｓ６３０がノー）場合には、動作Ｓ６５０において、アクセスネットワーク関連のネットワーク性能パラメータを含むが、ターミナル関連のネットワーク性能パラメータは利用できないというレポートが生成される。（現在又は他のエンティティにおいて）そのようなターミナル関連のネットワーク性能パラメータでのその後の補足を可能にするために、このレポートは、そのようなパラメータのためのプレースホルダ、及び／又はそのようなパラメータとのその後の合成を可能にする情報を含んでもよい。
【００６１】
この点に関して、動作Ｓ６５０による非合成レポートは、そこにタイムスタンプが含まれた状態で送信される。これは、更に別の動作における時間的関係の遵守を容易にする。図６には示されていないが、ターミナルは、新たなｅＮｏｄｅＢに再接続された後、エラーレポート又は切断事象が生じたというログを、その測定レポートに加えて与える。これは、切断の原因に関する知識を与えることで更なる動作を容易にし、これは、ネットワーク性能監視及び／又はコントロールにも貢献する。
【００６２】
従って、アクセスネットワーク関連のネットワーク性能パラメータのレポートは、たとえターミナル関連のネットワーク性能パラメータが利用できなくても、要求されたときに可能であり、即ち以前のｅＮｏｄｅＢ間ハンドオーバーのために決して到着することのないＵＥ測定の受信を待機する必要はない。
【００６３】
図６に規範的に示す動作は、例えば、図２及び３に基づいてＤＭＳで実行されるか、図４及び５に基づいてＯ＆Ｍエンティティで実行されるか、及び／又は図２から５のいずれか１つに基づいてｅＮｏｄｅＢで実行される。
【００６４】
図２から５のいずれか１つに基づいてｅＮｏｄｅＢで実行される場合には、動作Ｓ６３０及びＳ６４０を省略でき、そしてアクセスネットワーク関連のネットワーク性能パラメータを伴うレポートがＤＭＳに向かって転送される。
【００６５】
図２から５のいずれか１つに基づいてＤＭＳ／Ｏ＆Ｍで実行される場合には、動作Ｓ６５０が最初に行われても、動作Ｓ６４０は、必要なターミナル関連のネットワーク性能パラメータを中間で受信した後に遂行することができる。
【００６６】
図１及び６の動作は、互いに独立して遂行されてもよいし、単一エンティティでの同一位置実行又は異なるエンティティにわたる分散に関して及び時間的な流れに関して考えられる組み合わせで遂行されてもよいことに注意されたい。換言すれば、ここに述べる本発明の規範的実施形態の作用は、次のように概説される。
【００６７】
ネットワーク情報を付随する（例えば、ＭＤＴの目的で定義された）ＵＥ測定ログを含む改善された報告データは、ネットワークにおけるある問題又は欠陥状態をより効率的に診断できるようにする。上述したように、規定トリガーの監視は、ＵＥ側で遂行される。特定事象が生じると、ＵＥは、１つ以上の特定のユースケースに更に関連したトリガー事象に基づいて当該測定を遂行する。各事象及びネットワーク問題は、ネットワーク側のパラメータの当該セットに関連している。例えば、移動最適化のユースケースは、ネットワーク側にある移動及びハンドオーバーパラメータに依存する。それ故、本発明の実施形態によりＵＥ測定を補足するネットワーク情報の数は、エンドユーザが経験する問題の理由又は評価を決定するときの値を有する。従って、ＵＥから到来する測定は、適当なネットワークデータと一緒に考慮される。
【００６８】
原理的に、本発明の実施形態の具現化は、アーキテクチャーの観点、即ちＵＥ測定報告に使用されるトランスポートメカニズムとは独立している。システムアーキテクチャーの前記例によれば、測定ログのポリシーコントロール及び／又は構成の役割を果たすネットワークエンティティ（ＯＭＡ  ＤＭサーバー又はｅＮｏｄｅＢ）は、ＵＥからのレポート及びネットワーク情報の助けとなる。ユーザプレーンベースのアーキテクチャーの場合には、ＤＭＳは、ＵＥ及びｅＮｏｄｅＢから送られるレポートの受信者である。それ故、独立したネットワークエンティティとして、ＤＭＳは、ｅＮｏｄｅＢと通信し、そしてサービスに利用できる当該ネットワーク情報を要求することができる。というのは、ｅＮｏｄｅＢにおいて通常動作されるからである。コントロールプレーンベースのアーキテクチャーの場合には、ｅＮｏｄｅＢは、ＵＥ、及びｅＮｏｄｅＢ情報が得られる点から送られるレポートの受信者である。この解決策は、ネットワーク側からのデータ報告に関してより簡単で且つ容易である。というのは、ネットワークエンティティが基本的にｅＮｏｄｅＢそれ自体だからである。更に、ＵＥ測定を構成し報告するのに使用される無線インターフェイスは、サービスのために準備され利用することができる。
【００６９】
いずれにせよ、利用されるトランスポートメカニズムに関わらず、本発明の実施形態の利点は、（例えば、ＭＤＴのための）ネットワーク性能監視及び／又はコントロールにおける問題又は欠点を効率的に克服できることである。ＵＥによって与えられる異なる測定は、各ｅＮｏｄｅＢ情報により補足されるが、ネットワーク問題及び／又は欠陥に対する検出確率が高くなる。例えば、ＵＥ及びｅＮｏｄｅＢフィードバックは、生のドライブテストを行ってＯＰＥＸ（運営経費）節約を生じるようにオペレータの負担を容易にする上で助けとなる。更に、ＵＥからのレポートは、ある事象が生じたときにネットワーク状態に基づいて分類され、従って、ネットワーク問題及び／又は欠陥を解消するための必要な分析が容易になるという効果がある。要求されるネットワーク関連情報の多くは、ｅＮｏｄｅＢに容易に得られる。従って、個別に考えられるＵＥ測定は、例えば、ＳＯＮの目的で使用されてもよい。又、これは、冗長な実施の複雑さを回避して異なる機能（例えば、ＭＤＴ及びＳＯＮ）に同じＵＥ機能を利用できるようにする。
【００７０】
以上、本発明の規範的な実施形態を、主として、方法、手順及び機能を参照して説明したが、本発明のそれに対応する規範的な実施形態は、ソフトウェア及び／又はそのハードウェアを含めて、各装置、ネットワークノード及びシステムも網羅する。
【００７１】
図７及び８を参照して本発明の各規範的な実施形態を以下に説明するが、簡潔さのために、図１から６に基づく対応する方法及び動作の詳細な説明も各々参照する。
【００７２】
図７及び８において、実線のブロックは、基本的に、上述した各動作を遂行するように構成される。実線ブロック全体は、基本的に、上述した方法及び動作を遂行するように構成される。図７及び８に関して、個々のブロックは、各機能、プロセス、又は手順を実施する各機能的ブロックを示すことに注意されたい。そのような機能的ブロックは、実施ごとに独立したもので、即ちいかなる種類のハードウェア又はソフトウェアによって実施されてもよい。個々のブロックを相互接続する矢印は、それらの間の動作的結合を示すもので、これは、一方では実施ごとに独立で（例えば、ワイヤード又はワイヤレス）、そして他方では任意の数の中間的機能エンティティ（図示せず）を含む物理的及び／又は論理的結合である。矢印の方向は、ある動作が遂行される方向、及び／又はあるデータが転送される方向を示すものとする。
【００７３】
更に、図７及び８には、上述した方法、手順及び機能のいずれか１つに関連した機能的ブロックしか示されていない。当業者であれば、例えば、電源、中央処理ユニット、各メモリ、等の各構造的構成体の動作に要求される他の従来の機能的ブロックが存在することが明らかであろう。他のものの中でも、ここに述べるように動作するように個々の機能的エンティティを制御するためのプログラム又はプログラムインストラクションを記憶するメモリが設けられる。
【００７４】
図７は、本発明の規範的実施形態による装置のブロック図である。以上に鑑み、ここに述べる装置は、例えば、図２及び３に基づくＤＭＳのような装置管理要素により又は装置管理要素において実施されるか、或いは例えば、図４及び５に基づくｅＮｏｄｅＢのようなアクセスネットワーク要素により又はアクセスネットワーク要素において実施される。
【００７５】
図７に基づき、本発明の規範的実施形態による装置は、図１を参照して述べた方法を遂行するように構成される。それ故、基本的動作は、以下に述べるが、詳細については前記説明を参照する。
【００７６】
図７に示す規範的な実施形態によれば、ここに述べる装置は、受信器と、取得ユニットと、合成ユニットと、決定ユニットと、選択ユニットと、送信器とを備えている。これらの取得、合成、決定及び選択ユニットの１つ以上は、プロセッサにより実施されることに注意されたい。更に、適当なネットワーク性能パラメータの選択が望まれない場合には、決定及び選択ユニットを省略してもよいことに注意されたい。基本的な実施については、本発明の全ての実施形態により合成レポートの転送が必要とされないときには、送信器も省略できる。
【００７７】
受信器は、ターミナル関連のネットワーク性能パラメータの測定に関するレポートをターミナルから受信するように構成され、従って、そのようなターミナル情報を受信するための手段を表わす。受信器は、ターミナルからの測定レポートをユーザプレーンデータ又はコントロールプレーンデータとして受信するように構成される。取得ユニットは、アクセスネットワーク関連のネットワーク性能パラメータを取得するように構成され、従って、そのようなネットワーク情報を取得するための手段を表わす。上述したように、取得ユニットは、取得を、外部から、例えば、アクセスネットワーク要素から遂行するか、或いは内部で、例えば、アクセスネットワーク要素において遂行するように構成される。外部取得は、ここに述べる装置がＤＭＳ等に配置されたときに適用され、インターフェイス（トランシーバ）によりｅＮｏｄｅＢ等に向かって遂行される。内部取得は、ここに述べる装置がｅＮｏｄｅＢ等に配置されたときに適用され、ローカル記憶装置及び／又は測定ユニットによって達成される。合成ユニットは、受信器からの受信したターミナル関連のネットワーク性能パラメータと、取得ユニットからの取得したアクセスネットワーク関連のネットワーク性能パラメータとを、例えば、合成ネットワーク性能レポートへと合成するように構成され、従って、異なるソースからの当該ネットワーク性能パラメータを合成する手段を表わす。送信器は、合成ユニットからの合成されたネットワークパラメータレポートを、ネットワーク管理要素、及び／又は動作・保守要素、例えば、ＮＭ／ＩＲＰマネージャー又はＯ＆Ｍ装置へ、例えば、ネットワーク性能分析及び／又はコントロールのために転送するように構成され、従って、合成されたネットワーク性能パラメータを転送するための手段を表わす。
【００７８】
本発明の実施形態によれば、決定ユニットは、受信した測定レポートのトリガー事象及び／又はユースケースを決定するように構成され、従って、受信した測定レポートのコンテクストを決定する手段を表わす。決定ユニットは、トリガー事象及び／又はユースケースと、ターミナルで行われてローカル記憶装置に記憶される測定との間の規定の関連性に基づいて決定を遂行するように構成される。選択ユニットは、取得されるべきアクセスネットワーク関連のネットワーク性能パラメータをその決定されたトリガー事象及び／又はユースケースに基づいて選択するように構成され、従って、受信したターミナル情報に鑑み適当なネットワーク情報を選択するための手段を表わす。
【００７９】
前記装置からの合成レポートを装置管理及び／又は動作・保守要素へ送信するために、例えば、ｅＮｏｄｅＢ又はＤＭＳと、ＮＭ／ＩＲＰマネージャー又はＯ＆Ｍ装置との間の対応するインターフェイス又は基準点の存在、及びそのような送信のための対応する仕方が仮定される。
【００８０】
ＷＣＤＭＡの場合には、本発明の実施形態による機能を取り扱うエンティティ、即ち図７及び８に規範的に示された装置は、例えば、インターネット高速パケットアクセス（Ｉ−ＨＳＰＡ）のフラットアーキテクチャー解決策の場合に、無線ネットワークコントローラ（ＲＮＣ）、又は同一位置ＲＮＣ機能を伴うｅＮｏｄｅＢである。
【００８１】
本発明のある実施形態によれば、ユーザ装置ＵＥ、等のターミナルは、上述した装置、即ち本発明の実施形態により動作するＤＭＳ又はｅＮｏｄｅＢと協働するように構成される。従って、本発明の実施形態によるターミナルは、測定ログ及び／又は報告トリガーに関する構成情報を前記装置から受信して、それに対応する測定ログを生成するための対応する測定を遂行し、そしてそのような測定ログを、ユーザプレーン又はコントロールプレーンを経て対応的に報告するように構成される。
【００８２】
本発明のある実施形態によれば、ＮＭ／ＩＲＰマネージャーのようなネットワーク管理要素、及び／又はＯ＆Ｍ装置のような動作・保守要素は、上述した装置、即ち本発明の実施形態により動作するＤＭＳ又はｅＮｏｄｅＢと協働するように構成される。従って、本発明の実施形態によるネットワーク管理要素及び／又は動作・保守要素は、合成ネットワーク性能レポートを前記装置から受信し、そしておそらく、それに対応するネットワーク性能パラメータを要求し、及び／又はそれに基づいてネットワーク性能分析及び／又はコントロールを遂行するように構成される。
【００８３】
図８は、本発明の規範的実施形態による装置のブロック図である。以上に鑑み、ここに述べる装置は、例えば、図２及び３に基づくＤＭＳのような装置管理要素により又は装置管理要素において実施されるか、例えば、図４及び５に基づくＯ＆Ｍ装置のような動作・保守要素により又は動作・保守要素において実施されるか、及び／又は図２ないし５に基づくｅＮｏｄｅＢのようなアクセスネットワーク要素により又はアクセスネットワーク要素において実施される。
【００８４】
図８に基づき、本発明の規範的実施形態による装置は、図６を参照して述べた方法を遂行するように構成される。それ故、基本的動作は、以下に述べるが、詳細については前記説明を参照する。
【００８５】
図８に示す規範的な実施形態によれば、ここに述べる装置は、受信器と、取得ユニットと、レポート生成ユニットと、レポート必要性検出ユニットと、送信器とを備えている。これらの取得、レポート生成、及びレポート必要性検出ユニットの１つ以上は、プロセッサにより実施されることに注意されたい。基本的な実施については、本発明の全ての実施形態により合成又は非合成レポートの転送が必要とされないときには、送信器が省略されてもよい。
【００８６】
受信器は、ここに述べる装置の外部からの信号、例えば、レポート必要性の検出に必要なＵＥ測定レポート又は情報を受信するように構成され、従って、受信手段を表わす。レポート必要性検出ユニットは、アクセスネットワーク関連のネットワーク性能パラメータを報告する必要性を検出するように構成され、従って、レポート必要性を検出する手段を表わす。取得ユニットは、そのようなアクセスネットワーク関連のネットワーク性能パラメータを（内部又は外部）取得するように構成され、従って、ネットワーク性能パラメータを取得する手段を表わす。レポート生成ユニットは、入手可能な情報に基づいて適当なレポートを生成し、即ちターミナル関連のネットワーク性能パラメータ及びアクセスネットワーク関連のネットワーク性能パラメータの両方が得られる場合には合成レポートを、或いはアクセスネットワーク関連のネットワーク性能パラメータしか得られない場合には非合成レポートを生成するように構成される。従って、レポート生成ユニットは、適当なネットワーク性能レポートを生成するための手段を表わす。送信器は、このように生成されたレポートを適当なときに適当な場所に転送するように構成され、従って、ネットワーク性能レポートを送信する手段を表わす。
【００８７】
換言すれば、装置は、特に、ターミナル接続が失われてターミナルがそれまでとは別の装置を経て再びネットワークにアクセスすることが予想されるか、ターミナルが付加的な報告能力に欠けるか、さもなければ、機能不良を受けると決定された場合に、ターミナルからのレポートを待機せずに、アクセスネットワーク関連のパラメータの測定レポートを送信するように構成される。装置がレポートを、ターミナルからのレポートと合成せずに与える場合には、そのレポートをその後の段階でターミナルから受信する考えられる情報と合成できるという付加的な情報をそのレポートに設けるのが有益である。そのような後で合成できるという情報は、例えば、タイムスタンプ、経験した（切断）事象のタイプ、ターミナルアイデンティティ、及び／又は関連セル及び位置情報、並びにターミナルから早期に受信した情報、例えば、ハンドオーバー測定レポートデータ、等を含む。
【００８８】
例えば、ターミナルアイデンティティは、ターミナル関連のネットワーク性能パラメータとアクセスネットワーク関連のネットワーク性能パラメータとの間に相関がある（あるべき）ときに特に有益である。即ち、アクセスネットワーク関連のパラメータが、１つ以上の特定ターミナルのターミナル関連のパラメータと相関するときには、アクセスネットワーク関連のパラメータを報告する必要性がそのような特定のターミナルに関連して検出され、そしてそのようなパラメータの欠落による非合成レポートを送信した後に、その非合成レポートに付加的な情報として使用されたターミナルアイデンティティ（１つ又は複数）により識別される特定ターミナルのターミナル関連パラメータによってその後の合成が好都合に遂行される。
【００８９】
一般的に、上述した態様に基づく各機能的ブロック又は要素は、各部分のここに述べる機能を遂行するだけである場合には、各々、ハードウェア及び／又はソフトウェアの既知の手段によって実施できることに注意されたい。上述した方法ステップを、個々の機能的ブロックにおいて又は個々の装置により実現することもできるし、或いは１つ以上の方法ステップを単一の機能的ブロックにおいて又は単一の装置により実現することもできる。
【００９０】
一般的に、方法ステップは、本発明の考え方を変更せずに、ソフトウェアとして又はハードウェアにより実施するのに適している。装置及び手段は、個々の装置として実施できるが、これは、装置の機能が保存される限り、システム全体にわたり分散形態でそれらを実施することを除外するものではない。そのような及び同様の原理は、当業者であれば分かると考えられる。
【００９１】
この説明の感覚では、ソフトウェアとは、各機能を遂行するためのコード手段又は部分或いはコンピュータプログラム又はコンピュータプログラム製品を含むソフトウェアコード、並びに各データ構造又はコード手段／部分が記憶されたコンピュータ読み取り可能な記憶媒体のような有形媒体に埋め込まれるか或いは潜在的に処理中に信号又はチップに埋め込まれるソフトウェア（或いはコンピュータプログラム又はコンピュータプログラム製品）を含むものである。
【００９２】
一般的に、上述した本発明の説明上、次のことに注意されたい。
−おそらくソフトウェアコード部分として実施され、そして（デバイス、装置及び／又はそのモジュールの例として、或いは装置及び／又はそのモジュールを含むエンティティの例として）エンティティ、ネットワーク要素又はターミナルの１つにおいてプロセッサを使用して実行される方法ステップ及び機能は、ソフトウェアコード独立であり、そして方法ステップにより定義される機能が保存される限り、既知の又は将来開発されるプログラミング言語、例えば、Ｊａｖａ、Ｃ＋＋、Ｃ及びアッセンブラを使用して指定され、
−一般的に、いずれの方法ステップも、実施される機能に関して本発明の考え方を変更せずに、ソフトウェアとして又はハードウェアにより実施されるのに適しており、
−おそらくターミナル又はネットワーク要素或いはそのモジュールにおいてハードウェアコンポーネントとして実施される方法ステップ、機能、及び／又はデバイス、装置、ユニット又は手段は、ハードウェア独立であり、そして既知の又は将来開発されるハードウェア技術或いはそれらの混成体、例えば、ＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ−トランジスタロジック）、等を使用し、又、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタル信号プロセッサ）コンポーネントを使用して実施され、更に、おそらくソフトウェアコンポーネントとして実施される方法ステップ及び／又はデバイス、ユニット又は手段は、例えば、認証、許可、キーイング及び／又はトラフィック保護を行うことのできるセキュリティアーキテクチャーに基づくものであり、
−デバイス、装置、ユニット又は手段は、個々のデバイス、装置、ユニット又は手段として実施できるが、これは、デバイス、装置、ユニット又は手段の機能が保存される限り、システム全体にわたって分散形態でそれらが実施されることを除外するものではなく、
−装置は、半導体チップ、チップセット、或いはそのようなチップ又はチップセットを含む（ハードウェア）モジュールによって表されるが、これは、実施されるハードウェアに代わって、装置又はモジュールの機能が、プロセッサ上で実行するための／実行される実行可能なソフトウェアコード部分を含むコンピュータプログラム又はコンピュータプログラム製品のような（ソフトウェア）モジュールのソフトウェアとして実施される可能性を除外するものではなく、
−デバイスは、例えば、その機能が互いに協働するものであるか、或いは同じデバイスハウジングにあるが互いに独立したものであるかに関わらず、装置、又は２つ以上の装置のアッセンブリであるとみなされる。
【００９３】
又、本発明は、上述した技術の概念及び構造的構成が適用できる限り、上述した方法ステップ及び動作の考えられる組み合わせ、並びに上述したノード、装置、モジュール又は要素の考えられる組み合わせも網羅する。
【００９４】
以上、ネットワーク性能監視を改善する手段が開示された。そのような手段は、例えば、ターミナル関連のネットワーク性能パラメータの測定に関するレポートをターミナルから受信し、アクセスネットワーク関連のネットワーク性能パラメータの情報を取得し、そして受信したターミナル関連のネットワーク性能パラメータと、取得したアクセスネットワーク関連のネットワーク性能パラメータとを、合成ネットワーク性能レポートへと合成することを含む。
【００９５】
添付図面を参照して本発明を上述したが、本発明は、それに限定されないことを理解されたい。むしろ、当業者であれば、ここに開示する本発明の考え方の範囲から逸脱せずに種々の仕方で本発明を変更できることが明らかであろう。
【符号の説明】
【００９６】
Ｓ１１０〜Ｓ１４０：方法ステップ
Ｓ６１０〜Ｓ６５０：方法ステップ
【図１】
0005425315.tif 000002
【図２】
0005425315.tif 000003
【図３】
0005425315.tif 000004
【図４】
0005425315.tif 000005
【図５】
0005425315.tif 000006
【図６】
0005425315.tif 000007
【図７】
0005425315.tif 000008
【図８】
0005425315.tif 000009